(57)【要約】【課題】  光ディスク駆動装置において、高速回転時の構造振動音と流体音を低減する。【解決手段】  ディスク駆動装置１では、奥側端部に切欠き２１が形成されている。この切欠きは、光学ヘッド６走行用の孔２ｃに対して、スピンドルモータ５の軸に軸対称な位置にあり、その大きさは、走行用の孔とほぼ同じである。この切欠はディスクトレー２の振動モードや、ディスクとディスクトレー間の流れを抑制する。ディスクを高速に回転した時においても、騒音が低減される。【選択図】  図２
2006127558.tif 000002
【特許請求の範囲】
【請求項１】
光学ヘッドを用いてディスクとの間で情報を記録／再生するディスク駆動装置において、ディスクを載置するディスクトレーの奥側端部近傍に切欠き部を形成し、この切欠き部の面積を光学ヘッドの移動により形成されるディスクトレーの移動孔部の面積に応じて形成したことを特徴とするディスク駆動装置。
【請求項２】
前記切欠き部をディスクトレーの奥側端部であって左右方向のほぼ中央部に形成したことを特徴とする請求項１に記載のディスク駆動装置。
【請求項３】
前記切欠き部をディスクトレー装置の奥側の一方の角部であって、前記移動する孔部が形成された位置とはディスク中心に対して軸対称位置に形成したことを特徴とする請求項１に記載のディスク駆動装置。
【請求項４】
前記切欠き部は、ディスクトレーのディスク載置部内に形成され、切欠き部に隣り合うディスク載置部の外周部は連接していることを特徴とする請求項１に記載のディスク駆動装置。
【請求項５】
前記ディスクトレーのディスク載置部に垂直な側壁部は前記切欠き部で取り去られており、この取り去られた側壁部に対応する側壁部を有する部材をディスクトレーを収容するトップカバーおよびボトムカバーのいずれかに設けたことを特徴とする請求項３に記載のディスク駆動装置。
【請求項６】
前記ディスクトレーに形成した切欠き部の大きさは、左右の幅が１５〜３０ｍｍであって奥行き方向の長さが５〜２０ｍｍであることを特徴とする請求項1ないし５のいずれか１項に記載のディスク駆動装置。
【請求項７】
光学ヘッドを用いてディスクとの間で情報を記録／再生するディスク駆動装置において、ディスクを搬送入するディスクトレーの外周部にこのディスクトレーの振動モードまたはディスクとディスクトレー間の空気の流れの少なくともいずれかを抑制する切欠きを形成したことを特徴とするディスク駆動装置。
【請求項８】
ディスクを回転駆動するスピンドルモータと、光学ヘッドをディスクの半径方向に駆動する移動手段と、前記光学ヘッドおよび移動手段を制御する制御部が形成された回路基板とを有し、この回路基板はディスクトレーの移動方向奥側端部に配置されており、前記切欠き部を前記回路基板の上方に形成したことを特徴とする請求項７に記載のディスク駆動装置。
【請求項９】
前記切欠き部の大きさは、幅が１５〜３０ｍｍであり、長さが５ｍｍ〜２０ｍｍであることを特徴とする請求項７または８に記載のディスク駆動装置。
【請求項１０】
前記切欠き部は、ディスクの回転により発生する空気流の方向にほぼ直角な方向にある切欠き壁の少なくとも一部がテーパ状に形成されていることを特徴とする請求項８に記載のディスク駆動装置。
【発明の詳細な説明】
【技術分野】
【０００１】
本発明は、ＣＤやＤＶＤ等の可換媒体を駆動するディスク駆動装置に係り、特に装置厚さが９．５ｍｍ以下のディスク装置に関する。
【背景技術】
【０００２】
従来のディスク駆動装置の例が、特許文献１に記載されている。この公報に記載のディスク駆動装置では、ローディングされたディスクをスピンドルモータに取付けたターンテーブル上に装着する。その後、情報を再生あるいは記録する光学ヘッドを有するユニットメカ機構全体を上下移動させ、ディスク面との間隔が所定の距離になるようにユニットメカ機構を制御していた。そして、ユニットメカ部の上下移動手段は傾斜カム体を有し、この傾斜カム体の上面には突子が突設されていた。ディスクがローディングされるときには、突子をディスクトレーの下面側に当接させ、ディスクトレーをフレーム側に押圧している。
【０００３】
【特許文献１】特開平１０-２０８３５７号
【発明の開示】
【発明が解決しようとする課題】
【０００４】
装置の厚さが１２．７ｍｍ以下の薄型のＣＤやＤＶＤ装置では、スピンドルモータおよび光学ヘッド、光学ヘッド移動手段を備えたユニットメカを、ディスクトレー下面にインシュレータにより弾性支持している。そして、ユニットメカと一体となったディスクトレーを用いて、ディスクを装置外へ排出するようにしている。このような薄型のディスク駆動装置に、上記特許文献１の機構を適用しようとすると、物理的な制限により昇降機構を動作させることが困難になる。
【０００５】
これに対して、ディスク駆動装置の厚さの制約を考慮してディスクトレー自体を薄板形状にすると、ディスクの高速回転時に、回転一次振動やディスク回転に伴う空力加振力あるいは光学ヘッドのシークによる振動等により、ディスクトレーが自励振動して騒音を発生するおそれがある。また、ディスク駆動装置を薄型化すると、ディスク駆動装置に含まれる部品同士が接触したり、干渉したりする問題が生じかねない。例えば、ディスクトレーとこのディスクトレーの下部に設けた回路基板に搭載した電気部品との接触を回避する必要が生じる。
【０００６】
本発明は、上記従来技術の不具合に鑑みなされたものであり、その目的は、１２．７ｍｍ以下の薄型の光ディスク駆動装置において、高速回転時に発生する恐れのある構造振動音と流体音を低減することにある。
【課題を解決するための手段】
【０００７】
上記目的を達成する本発明の特徴は、光学ヘッドを用いてディスクとの間で情報を記録／再生するディスク駆動装置において、ディスクを載置するディスクトレーの奥側端部近傍に切欠き部を形成し、この切欠き部の面積を光学ヘッドの移動により形成されるディスクトレーの移動孔部の面積に応じて形成したものである。
【０００８】
そしてこの特徴において、切欠き部をディスクトレーの奥側端部であって左右方向のほぼ中央部に形成してもよく、切欠き部をディスクトレー装置の奥側の一方の角部であって、移動する孔部が形成された位置とはディスク中心に対して軸対称位置に形成してもよく、切欠き部は、ディスクトレーのディスク載置部内に形成され、切欠き部に隣り合うディスク載置部の外周部は連接していてもよい。また、ディスクトレーのディスク載置部に垂直な側壁部は切欠き部で取り去られており、この取り去られた側壁部に対応する側壁部を有する部材をディスクトレーを収容するトップカバーおよびボトムカバーのいずれかに設けるようにしてもよい。さらに、以上のいずれにおいても、ディスクトレーに形成した切欠き部の大きさは、左右の幅が１５〜３０ｍｍであって奥行き方向の長さが５〜２０ｍｍであることが望ましい。
【０００９】
上記目的を達成する本発明の他の特徴は、光学ヘッドを用いてディスクとの間で情報を記録／再生するディスク駆動装置において、ディスクを搬送入するディスクトレーの外周部にこのディスクトレーの振動モードまたはディスクとディスクトレー間の空気の流れの少なくともいずれかを抑制する切欠き部を形成したものである。
【００１０】
そしてこの特徴において、ディスクを回転駆動するスピンドルモータと、光学ヘッドをディスクの半径方向に駆動する移動手段と、光学ヘッドおよび移動手段を制御する制御部が形成された回路基板とを有し、この回路基板はディスクトレーの移動方向奥側端部に配置されており、切欠き部を回路基板の上方に形成するのが望ましい。なお、切欠き部の大きさは、幅が１５〜３０ｍｍであり、長さが５ｍｍ〜２０ｍｍであることが望ましい。
【００１１】
前記切欠き部は、ディスクの回転により発生する空気流の方向にほぼ直角な方向にある切欠き壁の少なくとも一部がテーパ状に形成されていることを特徴とする請求項８に記載のディスク駆動装置。
【発明の効果】
【００１２】
本発明によれば、ディスクトレーを切欠き構造とし、ディスクトレーの振動モードを制御可能にしたので、ディスク高速回転時のディスクトレーの自励振動を抑制できる。または、ディスクとディスクトレー間の空気の流れを制御可能にしたので、ディスクとディスクトレー間の流れを安定化することができる。これにより、高倍速再生や記録時の騒音を低減できる。したがって、ディスク駆動装置の信頼性が向上する。さらに、ディスクトレーが切り欠きを有するので、ディスクトレーと他の構造部品との接触を回避でき、ディスク駆動装置を薄型化できる。
【発明を実施するための最良の形態】
【００１３】
以下、本発明に係るディスク駆動装置のいくつかの実施例を、図１〜図６を用いて説明する。図１は、ディスク駆動装置１の分解斜視図である。図２は、図１に示したディスク駆動装置１のトップカバー９を外した状態における上面図である。図３は、ディスクトレー２に設けた切り欠き２１長さの影響を示す図であり、同図（ａ）は、横軸に切り欠き長さを選定し、縦軸に騒音特性と、振動加速度を選定した図、同図（ｂ）は振動モードを説明する図である。
【００１４】
図４は、ディスクトレー２の上面図および側面図である。図５は、ディスクトレーの他の実施例の上面図である。図６は、ディスクトレーのさらに他の実施例の上面図であり、トップカバー９を取り外した状態を示す図である。なお、図４および図５では、ディスクトレー２に形成した切欠き２１とユニットメカ３との位置関係を説明するため、ユニットメカ３を組み込んだ状態で示している。以下の説明においては、ＣＤやＤＶＤ装置等のディスク駆動装置１を例にとる。
【００１５】
パソコンなどに組み込まれるＣＤやＤＶＤなどのディスク駆動装置１は、直径１２０ｍｍ、板厚１．２ｍｍの円板形状をした媒体（以下、ディスク２０と呼ぶ。）の情報を再生あるいは新たな情報をディスク２０に記録する。本発明では、一般にスリムドライブまたはスーパスリムドライブと呼ばれるディスク駆動装置１を取り扱う。この場合、ディスク駆動装置１の厚さは、１２．７ｍｍまたは９．５ｍｍ、あるいはそれ以下の厚さである。
【００１６】
図１に、装置の厚さが９．５ｍｍのディスク駆動装置１を示す。ディスク駆動装置１の外形は、おおよそ幅１３０ｍｍ、奥行き１３０ｍｍであり、薄板金属板をプレス成形したボトムカバー８とトップカバー９を嵌合して外側筐体を形成する。筐体の内部には、樹脂成形品のディスクトレー２が移動可能に収容されている。ディスクトレー２は、ボトムカバー８の内側両側部に備えたガイド機構１３によりガイドされる。つまり、ディスク２０の出し入れが可能なようにガイド機構１３に摺動支持され、ディスク２０のローディングおよびアンローディングを可能にしている。
【００１７】
ディスクトレー２の手前側には、別部品であるフロントパネル１６が嵌合されている。ディスクトレー２には、ディスク２０の外径より僅かに大きな円溝２ａがほぼ中央に形成されている。円溝２ａの中心部から円溝２ａの側部２ｆにわたり、ユニットメカ３取付け用の孔２ｂが形成されている。
【００１８】
ユニットメカ３は、ディスク２０を回転駆動するスピンドルモータ５と、ディスク２０を支持するターンテーブルと、ディスク２０の情報を再生あるいは記録する光学ヘッド６と、光学ヘッド６をディスク２０の半径方向の所定位置に移動させる駆動手段３ａと、外部から各部品への接触を防止し、電気的なノイズを防止するユニットカバー１７とを備え、これらの各部品はメカシャシ４に組み込まれている。ユニットメカ３は、ディスクトレー２の下面に、弾性部材である３個のインシュレータ７を介して取付けられている。インシュレータ７は、ディスク駆動装置１の外部からユニットメカ３に伝わるかあるいはユニットメカ３から外部に伝わる振動や衝撃を減衰する。
【００１９】
ボトムカバー８の後部には、ディスク駆動装置１のメイン回路基板１０がねじで取付けられている。スピンドルモータ５や光学ヘッド６、光学ヘッド移動手段と回路基板１０とを電気的に接続するため、スピンドルモータ基板部１８に設けたコネクタ部１９とメイン回路基板１０間をＦＰＣ１２で接続している。メイン回路基板１０には、数多くの電気部品が搭載されており、その大きさが５ｍｍ角から２０ｍｍ角であって高さが１ｍｍ程度のＩＣ部品１１も搭載されている。そこで本実施例においては、ディスク駆動装置１の厚さ方向の寸法制限を考慮して、ディスクトレー２との接触を回避するようディスクトレー２の一部に切り欠き２１を形成した。この切り欠きの大きさは、ディスク２０を回転させた時にディスクトレー２に発生する振動モードや、ディスク２０とディスクトレー２間に発生する空気の流れを抑制するため、幅１５ｍｍ以上であって３０ｍｍ以下、長さ５ｍｍ以上であって２０ｍｍ以下とした。
【００２０】
図２は、ディスクトレー２をディスク駆動装置１の内部に引き込んだ状態を示している。ボトムカバー８の左右両端部にはガイド機構１３が設けられており、このガイド機構１３はディスクトレー２を支持している。ボトムカバー８の後部に取り付けたメイン回路基板１０には、コネクタ部１４が設けられており、ディスク駆動装置１の外部と電気的に接続される。メイン回路基板１０をディスクトレー２の下部に位置させたので、この図２では外形が明確になるようにメイン回路基板１０破線で、ディスクトレーを実線で示した。
【００２１】
切欠き２１部の大きさは、ディスクトレー２の自励振動の抑制と密接に関係し、ディスク２０の高速回転時の騒音低減にも関連する。そこで、この切欠き２１部の適切な大きさを、以下のように求めた。切欠き２１の幅寸法をＷとし、切欠きの長さをＸとする。一般的なＩＣの場合、ＩＣ１１のサイズは最小５ｍｍで最大２０ｍｍであるから、幅寸法Ｗの許容範囲は、ＩＣ１１の両側に各種余裕を５ｍｍづつとれば、１５ｍｍから３０ｍｍの範囲になる。切欠き２１の長さＸは、振動モードおよび騒音特性を考慮して以下のように定める。
【００２２】
図３（ａ）は、ディスクトレー２に設けた切欠き２１の幅寸法Ｗが３０ｍｍのときに、切欠き長さＸを、Ｘ＝０〜２５ｍｍまで５ｍｍ間隔で変化させたときのディスク駆動装置１の騒音値を示したものである。ここで、Ｘ＝０ｍｍは切欠き２１がない状態であり、騒音値はこのＸ=０ｍｍときの騒音との差で示した。この図３（ａ）には、Ｘ＝０ｍｍを基準にした振動加速度をも併せて示した。
【００２３】
図３（ｂ）に、ディスクトレー２の上面図を示す。この図は、振動特性を説明するための図である。これらの図において、ディスク駆動装置１は、ＣＤ−ＲＯＭ２４倍速再生に相当する回転速度で駆動されている。すなわち、ディスクの回転速度は、毎分約５５００回転である。
【００２４】
騒音相対値は、ディスクトレー２の切欠き２１長さＸがＸ≦１０ｍｍまで減少し、Ｘ＝１０ｍｍで最小となり、Ｘ＞１０ｍｍになると騒音値が増大する。切欠き２１の長さＸがＸ＞１０ｍｍになると騒音が増大するのは、切欠き２１が形成されたことによりディスクトレー２の各部の剛性が変化したためである。
【００２５】
ディスクトレー２の切欠き２１長さＸがＸ≦１０ｍｍにおける騒音値の変化は、図中点線で示した局所振動の影響が支配的である。この状態では、ディスクが高速回転して空気が乱流化され、空気流が加振源となってディスクトレー２を励振する。局所振動は、ディスクトレー２の一部が自励振動して共振する現象であり、フロントパネル１６付近で大きく振動する様子が観察された。
【００２６】
切欠き２１がないＸ＝０の状態では、ユニットメカ３が取付けられる部分（図３（ｂ）の斜線部２ｂ）が空隙部であるので、ディスクトレー２のフロントパネル１６側から奥行き側方向（図３（ｂ）の上下方向）において、ディスクトレー２の剛性が変化している。つまり、フロントパネル１６側である前部の剛性が極端に低下し、局所共振を引き起こす。これに対し、切欠き２１を形成すると、ディスクトレー２の奥側の剛性も小さくなり、ディスクのローディング方向（図３（ｂ）の上下方向）の剛性の差が小さくなり、局所共振が抑制される。
【００２７】
ディスクトレー２の切欠き２１長さＸが、Ｘ＞１０ｍｍになると、騒音値は点線で示した曲げ振動の影響が大きくなる。この場合も、ディスクトレー２を加振する加振力は、切欠き長さＸが短いときと同様に、ディスクの高速回転による空気流である。ディスクトレー２に形成した切欠き２１長さＸが大きくなると、ユニットメカ３が取付けられる斜線部２ｂと切欠き２１部を結ぶ線２ｄ上の剛性が低下する。ディスクトレー２は、外力による励振力で、低剛性部分をモードの腹とする曲げ一次の振動モードで自励振動を引き起こす。このディスクトレー２の振動により、ディスク駆動装置１の騒音が増加する。このことから、ディスクトレー２に切欠き２１を形成するときの切欠き部の長さＸは、斜線部２ｂとのバランスを考慮して決めなければならない。
【００２８】
ディスクトレー２部に異常振動が発生すると、ディスク駆動装置１の騒音を増大させて信頼性を低下させるだけでなく、ディスク駆動装置１の他の部品をも励振して、ディスク駆動装置１の記録再生性能を低下させる。ディスク駆動装置１はこのような異常振動を防止するため、信頼性性能の基準としてディスク駆動装置１の内部における振動の大きさを規定している。この規定では、薄型のディスク駆動装置１の場合、その内部の振動を２ｍ／ｓ２以下としている。
【００２９】
この規定によれば、ディスクトレー２部の局所共振の許容値は−０．２ｄＢ（相対値）であるから、切欠き２１長さＸは、Ｘ≧５ｍｍとなる。一方、ディスクトレー２部の曲げ振動の許容値は２ｍ／ｓ２であるから、切欠２１の長さＸは、Ｘ≦２０ｍｍになる。したがって、騒音の許容値と振動の許容値とを考慮すれば、ディスクトレー２の切欠き２１長さＸを、Ｘ＝５〜２０ｍｍとすることが望ましい。
【００３０】
図４（ａ）に、ディスクトレー２の上面図を示す。このディスクトレー２は、ユニットメカ３を組み込んだ状態にある。ディスクトレー２に形成したディスク２０外径より僅かに大きな円溝２ａの底部には、光学ヘッド６の走行孔２ｃと切欠き２１が形成されている。スピンドルモータ５のターンテーブルにディスク２０が装着されると、ディスク２０の下面と対向するディスクトレー２の円溝底面との間の隙間はほぼ均一な隙間となる。ただし、走行孔２ｃおよび切欠き２１の２箇所の孔部では、隙間が急激に大きくなる。この急激な隙間変化部では、空気流が乱流化する。その結果、空力加振力が増加して周囲の部品を励振し、構造振動音が増加するとともに、乱流化により流体音が増加する。
【００３１】
そこで本実施例では、ディスク駆動装置１において光学ヘッド６を走行させるために走行孔２ｃが不可欠であるから、この走行孔２ｃを考慮して切欠き２１の大きさおよび位置を決定した。すなわち、走行孔２ｃと切欠き２１部の面積をほぼ同レベルとした。図４（ａ）では、光学ヘッド６が内周側に位置している。内周側にあった光学ヘッド６が外周部に移動すると、光学ヘッド６の一部がディスクトレー２の下部に入り込み、見かけ上の走行孔２ｃの面積は若干増大する。
【００３２】
ここで、ディスク２０とディスクトレー２間の空気の圧力変動は、ディスク周速に依存する。切欠き２１はディスク２０の外周位置にあるから、光学ヘッド６が内周側に位置すると、ディスク外周部にある走行孔２ｃと切欠き２１部の周速はほぼ同じになる。したがって、走行孔２ｃと切欠き２１の面積をほぼ同じにすれば、ディスク２０とディスクトレー２間の空気の圧力変動が相殺される。光学ヘッド６が外周部に移動すると、走行孔２ｃは内周側に位置する。内周側ではディスクの周速が遅いので、切欠き孔２１より走行孔２ｃの面積を大きくすればよい。
【００３３】
光学ヘッド６の走行孔２ｃの面積は、光学ヘッド６自体の長さＨ１を除いた光学ヘッド６の残りの走行長さＨ２と、走行孔２ｃの幅Ｗ１で決定される。実用的な走行孔２ｃの半径方向長さ（光学ヘッド６の移動方向長さ）は２０ｍｍであり、走行孔の幅は１５ｍｍ程度であるから、走行孔２ｃの面積は約３００ｍｍ２となる。したがって、この走行孔２ｃに見合う切欠き２１の面積は、約３００ｍｍ２である。図１、２の実施例でに示したように、切欠き２１部の幅は３０ｍｍ程度が望ましいから、切欠き２１の長さは１０ｍｍ程度が適正値となる。この結果は、空気流の特性を示す図３（ａ）にも合致する。
【００３４】
走行孔２ｃおよび切欠き２１を形成すると、急激な隙間変化により空気流が乱流化し、構造振動音が増加するとともに、乱流化により流体音が増加することは上述した。そこで、さらに騒音および振動を低減するために、光学ヘッド２１の走行孔２ｃと切欠き２１の位置をディスク２０の回転軸に対し、できるだけ軸対称となる位置に定めた。これにより、走行孔２ｃと切欠き２１により生じる空気流を、ディスク２０面上で点対称な流れ分布に近づけることができる。ディスク２０の非対称振動モードによる励振を抑制できる。さらに、ディスクトレー２部の局部的な共振とそれに伴う構造振動音を抑抑制できる。
【００３５】
図４（ｂ）に、上記実施例の変形例を示す。この図４（ｂ）は、図４（ａ）のＡ-Ａ断面図である。ディスクの回転２６により、ディスク２０とディスクトレー２間に空気の流れ２７が図では左方向に生じる。この図４（ｂ）中には、ディスク２０も同時に記載している。ディスク２０上部にディスク２０の回転方向を矢印２６で示した。
【００３６】
本変形例では、ディスクトレー２の切り欠き２１部の側壁に上向きのテーパ２２を形成している。ディスクトレー２の側壁をテーパ状（斜め）にしたので、ディスクトレー２とディスク２０間の隙間の変化が緩和され、流れを整流化できる。切欠き２１部では、垂直な壁面２２ｂ（図の右側）から空気が流入し、テーパ面２２から空気が流出する。流出側の面が垂直な壁面の場合、切欠き２１部に流入した空気が壁面と衝突して、切欠き２１部に渦が発生する。この渦は、局所的な加振力の加振源となる。本変形例では、テーパ２２を形成したので切欠き２１部に流入した空気の乱流化が抑制され、ディスクトレー２の自励振動を低減できる。これにより、構造振動音も低減される。
【００３７】
なお、本実施例では切欠き２１部の空気流出側にのみテーパ２２を形成したが、切欠き２１部に流入する側の壁面２２ｂにも上向きのテーパを形成すれば、より加振源となる渦の発生が抑制される。また、壁面の形状をテーパ（斜め）形状としたが、切欠き２１部に空気が滑らかに流入および流出する形状であればよく、丸みを持った局率を有する形状であってもよい。
【００３８】
図５に、本発明に係るディスクトレーのさらに他の実施例を示す。図５は、ユニットメカ３を組み込んだディスクトレー２の上面図である。ディスクトレー２に形成したディスク２０外径より僅かに大きな円溝２ａの底部に、光学ヘッド６の走行孔２ｃと切欠き孔２３を形成した。切欠き孔２３は、ディスクトレー２の奥側端部近傍で、ほぼ中央部に形成した。この切欠き孔２３は、ディスクトレー２の振動モードを制御するためおよびディスク２０とディスクトレー２間の空気の流れを抑制するために形成されている。
【００３９】
切欠き孔２３はディスクトレー２の外周部でディスクトレー２を接続する橋渡し部２４を有するので、図２および図３で説明した切欠き２１に比べて、ディスクトレー２の曲げ一次モードに関して剛性が高い。したがって、ディスクトレー２の曲げ一次振動の振幅を抑制でき、構造振動音を低減できる。切欠き孔２３の面積を、光学ヘッド６の走行孔２ｃの面積と同程度にし、スピンドルモータ５の軸についてほぼ軸対称位置に位置させると、走行孔１ｃと切欠き孔２３により生じる空気流の乱れが、ディスク２０面上で軸対称に近づく。したがって、ディスク２０に非対称振動モードが励振されるのを抑制できる。ディスクトレー２部の局所的な共振を抑えたので、構造振動音を抑制できる。
【００４０】
図６に、本発明に係るディスクトレー２のさらに他の実施例を示す。図５は、トップカバー９を外したディスク装置１の上面図である。本実施例では図５の実施例よりもさらに、切欠き部を走行孔２ｃの軸対称位置に近づけている。すなわち、走行孔２ｃと対称位置である奥側隅の直線２ｄ上（図５では右上角）にディスクトレー２の切欠き部２１を形成している。本実施例ではディスクトレー２に切欠き部２１を形成したので、ディスクの側面に対向する側壁部２ｆがこの切欠き２１部分にだけ形成されていない。そこで、側壁部２ｆに対応する側面壁部材２５を、ボトムカバー８あるいはトップカバー９に設けた。
【００４１】
本実施例によれば、光学ヘッド６の走行孔２ｃとディスクトレー２の切欠き部２１とをディスクに対して軸対称に形成したので、ディスク回転時の騒音を低減できる。そしてこの位置関係を保持したまま、切欠き部２１の面積を光学ヘッド６が内周位置にある場合の走行孔２ｃの面積とほぼ同じにすれば、さらに、ディスク回転時の騒音を低減できる。それとともに、ディスクトレー２の振動を抑制でき、ディスク装置の信頼性が向上する。
【図面の簡単な説明】
【００４２】
【図１】本発明に係るディスク駆動装置の一実施例の分解斜視図である。
【図２】図１に示したディスク駆動装置の上面図であり、トップカバーを取り外した図である。
【図３】切り欠き構造寸法による騒音特性とディスクトレー構造の関係を説明する図である。
【図４】図１に示したディスク駆動装置に用いるディスクトレーの上面図および側面図である。
【図５】ディスクトレーの他の実施例の上面図である。
【図６】本発明に係るディスク駆動装置の他の実施例の上面図であり、トップカバーを取り外した図である。
【符号の説明】
【００４３】
１…ディスク駆動装置、２…ディスクトレー、３…ユニットメカ、４…メカシャシ、５…スピンドルモータ、６…光学ヘッド、７…インシュレータ、８…ボトムカバー、９…トップカバー、１０…メイン回路基板、１１…ＩＣ、１２…ＦＰＣ、１３…ガイド機構、１４…外部接続コネクタ、１６…フロントパネル、１７…ユニットカバー、１８…スピンドルモータ基板、１９…スピンドルモータ基板のコネクタ部、２０…ディスク、２１…切り欠き部、２２…テーパ部、２３…切り欠き孔、２４…剛性補強部（はし渡し部）、２５…ディスク側面壁部材。
【図１】
2006127558.tif 000003
【図２】
2006127558.tif 000004
【図３】
2006127558.tif 000005
【図４】
2006127558.tif 000006
【図５】
2006127558.tif 000007
【図６】
2006127558.tif 000008